(57)【要約】【課題】  レンズカバーをスタンドとして使用可能な携帯情報機器用のレンズカバー兼用ケースを提供する。【解決手段】  カメラ内蔵の携帯情報機器を収納するケース本体３と、ケース本体３に設けられ、携帯情報機器のカメラのレンズ２に対応する部分を覆い隠すレンズカバー部４と、携帯情報機器を収納するケース本体３を所定の角度に立てかけることが可能なスタンド部５と、ケース本体と、レンズカバー部及びスタンド部とを連結する連結部材６とから構成し、レンズカバーをスタンドとして使用可能な構成とした、携帯情報機器用のレンズカバー兼用ケースを提供する。【選択図】  図１
0003205916.tif 000002
【実用新案登録請求の範囲】
【請求項１】
カメラ内蔵の携帯情報機器を収納するケース本体と、
ケース本体に設けられ、携帯情報機器のカメラのレンズに対応する部分を覆い隠すレンズカバー部と、
携帯情報機器を収納するケース本体を所定の角度に立てかけることが可能なスタンド部と、
ケース本体と、レンズカバー部及びスタンド部とを連結する連結部材とから構成され、
レンズカバーをスタンドとして使用可能なことを特徴とする携帯情報機器用のレンズカバー兼用ケース。
【請求項２】
ケース本体に取り付けられた前記のレンズカバー部には、開閉可能な構造の連結部材でスタンド部が取り付けられ、スタンド部を開いた時にスタンドとして機能することを特徴とする、請求項1に記載の携帯情報機器用のレンズカバー兼用ケース。
【請求項３】
前記のレンズカバー部は、開閉可能な構造の連結部材でケース本体に取り付けられ、レンズカバーを開いた時に、レンズカバー部がそのままスタンド部として機能することを特徴とする、請求項1に記載の携帯情報機器用のレンズカバー兼用ケース。
【請求項４】
前記のレンズカバー部は、二つ折りのスライド式開閉構造を有することを特徴とする、請求項１〜３のいずれかに記載の携帯情報機器用のレンズカバー兼用ケース。
【請求項５】
前記のレンズカバー部は、三つ折りまたはそれ以上の部材からなるスライド式開閉構造を有することを特徴とする、請求項１〜３のいずれかに記載の携帯情報機器用のレンズカバー兼用ケース。
【考案の詳細な説明】
【技術分野】
【０００１】
本考案は、レンズカバーをスタンドとして使用可能な携帯情報機器用のレンズカバー兼用ケースに関するものである。
【背景技術】
【０００２】
【特許文献１】特開２００９−２７２９０８
【特許文献２】実用新案登録第３１０４７９６号
【特許文献３】特開２００４−２７５４３４
【特許文献４】特開２０１５−１３３６４７
【０００３】
携帯電話、スマートフォンに代表される携帯情報機器、各種のタブレット端末、モバイル端末、静止画及び動画撮影・再生機器、その他の各種の携帯情報機器が普及している。これらの多くには、静止画撮影や動画撮影を行うためのカメラが内蔵され、機器本体にカメラのレンズが設けられている。
【０００４】
カメラのレンズは、使用しないときには、傷ついたり汚れが付着したりすることを防ぐため、不使用時にはレンズにカバーやキャップなどを付け保護するための機構が設けられることがある。
たとえば、特開２００９−２７２９０８「携帯端末装置およびスライドカバー装置」においては、カメラ部に対してスライド開閉可能なカバーを有するスライドカバー装置が開示されている。カバーを閉鎖位置から開放位置へ移動させるとき、フレーム部の側壁に設けられたカム溝によるスライド経路に従って、アーム部材が筐体表面部材の下側に滑り込むとともに、カバーが筐体表面部材の上に乗り上げ、携帯電話端末の意匠を損なうことなく、その小型化を図るものである。
【０００５】
また、実用新案登録第３１０４７９６号「携帯式撮影装置のレンズカバー」においては、カメラ付き携帯電話などの携帯式撮影装置を所持する訪問者から該装置を預かることなく、施設の秘密事項等の撮影を防止できる携帯式撮影装置用のレンズカバーが開示されている。
カメラ付き携帯電話等の携帯式撮影装置のレンズ部を少なくとも覆うことができるレンズカバーであって、レンズ遮蔽領域が不透明なカバー基材を備え、前記カバー基材の裏面には、前記携帯式撮影装置に貼付でき且つ貼付後剥離することができる接着部が設けられている携帯式撮影装置用のレンズカバーである。
【考案の概要】
【考案が解決しようとする課題】
【０００６】
ところで、これまでに述べたレンズカバーは、主として、レンズを保護したり、使わない時には収納するといった目的で、単にレンズ部分を覆うものである。
ところが近年、携帯情報機器にカメラが標準装備されることが普通になり、カメラが高精度になって気軽に静止画や動画撮影ができるようになった一方、通信機能を備えていること、カメラが小型化していることなどから、新たな問題に注意が必要となっている。
たとえば、プライバシー保護の観点や、撮影禁止場所、ビジネス上の秘密など秘密情報管理の観点からは、盗撮等の不適正なカメラの使用が容易となり、問題が生じることも多い。さらに不適切に撮影された画像や映像を、インターネットを通じて送信したりアップロードすることも簡単にでき、実際に様々な被害が生じている。
【０００７】
一方、カメラ付携帯情報機器を保有している人にとっては、不適正な撮影など行ってはいないのに、撮影をしていたのではないかといった、あらぬ疑いをかけられるおそれもある。
さらに、カメラ付携帯情報機器を保有している人が気づかないうちに、不正なソフトウェア、たとえば遠隔監視ソフトなどの不正手段により、機器に保有者が意図しない撮影を勝手に行い、画像や映像を送信してしまうようなおそれもある。
このように、カメラ付の携帯情報機器を所持する人も、その近くにいる別の第三者も、レンズが露出していることにより、自分の様子がカメラで撮影されているのではないか、そして撮影された画像や映像が送信されているのではないか、という不安感を与えるおそれがある。
【０００８】
このため、特開２００４−２７５４３４「カメラ付携帯電話盗撮防止カバー」においては、カメラ付携帯電話に装着することにより、カメラ部分を覆ってカメラ機能を実質的に使用不能して、主催者や本人の了解なしに勝手にカメラ付携帯電話を使用して盗撮するのを防ぐことのできるカメラ付携帯電話盗撮防止カバーが開示されている。
上記発明は、折り畳み式のカメラ付携帯電話のカメラが配置された外側表面を覆う外面カバーシート、外面カバーシートの内側表面の長さ方向両側に設けられた第一内面カバーシート及び第二内面カバーシート、並びに第一挿入部及び第二挿入部から主に構成され、また折り畳み式のカメラ付携帯電話に装着したカメラ付携帯電話盗撮防止カバーが外れないように非解放型留め具が使用されるものである。
【０００９】
また、特開２０１５−１３３６４７「カメラ隠し装置」においては、ディスプレイの表示窓とカメラの光入射窓とがその前面に配置されている汎用のコンピュータに後付け装着することにより、当該カメラの光入射窓が当該コンピュータに対面している使用者から見えないようにすることができるカメラ隠し装置が開示されている。
上記発明は、カメラ隠し装置は、スマートフォンの背面部及び外周部を覆うカバー（ソフトケース）と、スマートフォンのフロントカメラの光入射窓を遮蔽するための遮蔽部と、遮蔽部を光入射窓の前に出没可能に保持する遮蔽体保持部と、を有するものである。
【００１０】
ところで、スマートフォンやタブレット端末など、画面を指で操作する各種の機器や、動画などを鑑賞する機会も増え、こうした携帯情報機器を所望する一定の角度に傾けて立てかけるためのスタンドが、各種開発され使用されている。
通常、カメラ付の携帯情報機器を用いて、カメラでの撮影を行う場合には、被写体の方向にレンズを向けて構えるため、携帯情報機器は手で持っている状態となり、撮影時にスタンドを同時に使用することがない。
逆に、スタンドを使用している時には、携帯情報機器は手で持たないで置いてある状態となり、同時にカメラを使用することもない。
しかしながら、これまでに述べた従来のレンズカバーやカメラ隠し装置等においては、いずれも、カメラ不使用時にレンズを覆い隠す機能を有するのみで、スタンドが必要な場合には別途用意しなければならなかった。
【００１１】
そこで本考案においては、上記の様々な課題を解決し、レンズカバーをスタンドとして使用可能な携帯情報機器用のレンズカバー兼用ケースを提供することを目的とする。
【課題を解決するための手段】
【００１２】
上記課題を解決するため、請求項１に記載の考案は、
カメラ内蔵の携帯情報機器を収納するケース本体と、
ケース本体に設けられ、携帯情報機器のカメラのレンズに対応する部分を覆い隠すレンズカバー部と、
携帯情報機器を収納するケース本体を所定の角度に立てかけることが可能なスタンド部と、
ケース本体と、レンズカバー部及びスタンド部とを連結する連結部材とから構成され、
レンズカバーをスタンドとして使用可能な携帯情報機器用のレンズカバー兼用ケースであることを特徴とする。
【００１３】
上記課題を解決するため、請求項２に記載の考案は、
ケース本体に取り付けられた前記のレンズカバー部には、開閉可能な構造の連結部材でスタンド部が取り付けられ、スタンド部を開いた時にスタンドとして機能する、請求項1に記載の携帯情報機器用のレンズカバー兼用ケースであることを特徴とする。
【００１４】
上記課題を解決するため、請求項３に記載の考案は、
前記のレンズカバー部は、開閉可能な構造の連結部材でケース本体に取り付けられ、レンズカバーを開いた時に、レンズカバー部がそのままスタンド部として機能する、請求項1に記載の携帯情報機器用のレンズカバー兼用ケースであることを特徴とする。
【００１５】
上記課題を解決するため、請求項４に記載の考案は、
前記のレンズカバー部は、二つ折りのスライド式開閉構造を有する、請求項１〜３のいずれかに記載の携帯情報機器用のレンズカバー兼用ケースであることを特徴とする。
【００１６】
上記課題を解決するため、請求項５に記載の考案は、
前記のレンズカバー部は、三つ折りまたはそれ以上の部材からなるスライド式開閉構造を有する、請求項１〜３のいずれかに記載の携帯情報機器用のレンズカバー兼用ケースであることを特徴とする。
【考案の効果】
【００１７】
これにより、カメラ付の携帯情報機器を手で持っている状態の時には、レンズカバーとして使用でき、逆に、携帯情報機器を手で持たないで置いてある状態の時には、スタンドとして使用できる。
【図面の簡単な説明】
【００１８】
【図１】本考案の携帯情報機器用のレンズカバー兼用ケースの一例を示す斜視図である。
【図２】本考案の携帯情報機器用のレンズカバー兼用ケースの別の一例を示す斜視図である。
【図３】本考案の携帯情報機器用のレンズカバー兼用ケースの別の一例を示す斜視図である。
【図４】本考案の携帯情報機器用のレンズカバー兼用ケースの別の一例を示す斜視図である。
【図５】本考案の携帯情報機器用のレンズカバー兼用ケースの別の一例を示す斜視図である。
【図６】本考案の携帯情報機器用のレンズカバー兼用ケースの別の一例を示す斜視図である。
【図７】本考案の携帯情報機器用のレンズカバー兼用ケースの一例を示す斜視図であり、レンズカバー部に開閉可能な構造の連結部材でスタンド部が取り付けられ、スタンド部を開いた時にスタンドとして機能する実施例を示す。
【図８】レンズカバー部が二つ折りのスライド式開閉構造を有する、本考案の携帯情報機器用のレンズカバー兼用ケースの一例を示す斜視図である。
【図９】レンズカバー部が二つ折りのスライド式開閉構造を有する、本考案の携帯情報機器用のレンズカバー兼用ケースの一例を示す斜視図である。
【図１０】レンズカバー部が三つ折りのスライド式開閉構造を有する、本考案の携帯情報機器用のレンズカバー兼用ケースの一例を示す斜視図である。
【図１１】レンズカバー部が三つ折り以上の部材からなるスライド式開閉構造を有する、本考案の携帯情報機器用のレンズカバー兼用ケースの一例を示す斜視図である。
【考案を実施するための形態】
【００１９】
以下、図面を参照して、本考案の携帯情報機器用のレンズカバー兼用ケースについて説明する。
図１は、本考案の携帯情報機器用のレンズカバー兼用ケースの一例を示す図であり、（ａ）はレンズカバー部を閉じた部分拡大斜視図、（ｂ）はレンズカバー部を開いた部分拡大斜視図、（ｃ）はレンズカバー部がそのままスタンド部として機能している側面図である。
本考案は、レンズカバーをスタンドとして使用可能な携帯情報機器用のレンズカバー兼用ケースである。携帯情報機器は、携帯電話、スマートフォンに代表される携帯情報機器、各種のタブレット端末、モバイル端末、静止画及び動画撮影・再生機器、その他の各種の携帯情報機器である。これらの内の、静止画撮影や動画撮影を行うためのカメラが内蔵され、機器本体にカメラのレンズが設けられている携帯情報機器用のケースである。
【００２０】
本考案の携帯情報機器用のレンズカバー兼用ケースは、カメラ内蔵の携帯情報機器を収納するケース本体３を備えている。
ケース本体３は、前述した各種の携帯情報機器の全体を覆うものであってもよく、携帯情報機器の一部は露出するように部分的に機器を保護するケースであってもよい。
ケース本体３は、特定の携帯情報機器の機種ごとに機種の形状やカメラのレンズ位置に対応するものであることが好ましいが、各種の機器に汎用的に用いられるものであってもよい。
また、ケース本体３の素材は、硬質樹脂、軟質樹脂、ゴム、皮革、合成皮革、金属、布、その他の各種素材を用いることができる。
【００２１】
次に、本考案の携帯情報機器用のレンズカバー兼用ケースは、ケース本体３に設けられ、携帯情報機器のカメラのレンズ２に対応する部分を覆い隠すレンズカバー部４を備えている。
また、本考案の携帯情報機器用のレンズカバー兼用ケースは、携帯情報機器を収納するケース本体を所定の角度に立てかけることが可能なスタンド部５を備えている。
【００２２】
レンズカバー部およびスタンド部の形状、構造、素材などは、各種のものを採用することができる。
図1の例を参照すると、レンズカバー部４は、開閉可能な構造の連結部材でケース本体に取り付けられ、レンズカバーを開いた時に、レンズカバー部がそのままスタンド部５として機能する。
図２から図６は、本考案の携帯情報機器用のレンズカバー兼用ケースの別の一例を示す斜視図である。
これらの一例においても、レンズカバー部４は、開閉可能な構造の連結部材でケース本体に取り付けられ、レンズカバーを開いた時に、レンズカバー部がそのままスタンド部５として機能する。
【００２３】
また、図６においては、レンズカバー部４が柔軟性のある素材からなる一例を示している。
さらに、図示しないが、軟質樹脂、ゴム、皮革、合成皮革、布などの軟質素材をレンズカバー部４およびスタンド部５に採用し、面ファスナーやハトメ、ベルト、各種留め具、切り込みや差し込みなどの固定方法によりスタンド部として機能するように立てかけることもできる。
【００２４】
次に、本考案の携帯情報機器用のレンズカバー兼用ケースは、ケース本体３と、レンズカバー部４及びスタンド部５とを連結する連結部材６を備えている。
連結部材６は、ケース本体３とレンズカバー部４との連結に用いるほか、レンズカバー部４及びスタンド部５の各種の形状・構造によっては、レンズカバー部4及びスタンド部5の連結に用いる。
連結方法は、ヒンジ、スライド溝、各種留め具、角度調節コネクタ、その他の各種のものを採用することができる。
【００２５】
次に、これまではレンズカバーを開いた時に、レンズカバー部がそのままスタンド部５として機能する実施形態について説明をしたが、別の一例について説明する。
図７は、本考案の携帯情報機器用のレンズカバー兼用ケースの一例を示す斜視図であり、レンズカバー部６に開閉可能な構造の連結部材でスタンド部５が取り付けられ、スタンド部６を開いた時にスタンドとして機能する実施例を示す。
ケース本体３に取り付けられた前記のレンズカバー部４には、開閉可能な構造の連結部材でスタンド部５が取り付けられ、スタンド部を開いた時にスタンド部として機能する。
【００２６】
次に、別の実施例として、前記のレンズカバー部４は、二つ折りのスライド式開閉構造を有する構造を採用することができる。
図８は、レンズカバー部４が二つ折りのスライド式開閉構造を有する、本考案の携帯情報機器用のレンズカバー兼用ケースの一例を示す斜視図である。
図９は、レンズカバー部４が二つ折りのスライド式開閉構造を有する、本考案の携帯情報機器用のレンズカバー兼用ケースの一例を示す斜視図である。
【００２７】
さらに別の実施例として、前記のレンズカバー部４は、二つ折りのスライド式開閉構造を有する構造を採用することができる。
前記のレンズカバー部４は、三つ折りまたはそれ以上の部材からなるスライド式開閉構造を有する。
図１０は、レンズカバー部４が三つ折りのスライド式開閉構造を有する、本考案の携帯情報機器用のレンズカバー兼用ケースの一例を示す斜視図である。
図１１は、レンズカバー部４が三つ折り以上の部材からなるスライド式開閉構造を有する、本考案の携帯情報機器用のレンズカバー兼用ケースの一例を示す斜視図である。
【００２８】
本考案の携帯情報機器用のレンズカバー兼用ケースを用いることにより、カメラ付の携帯情報機器を手で持っている状態の時には、レンズカバーとして使用でき、逆に、携帯情報機器を手で持たないで置いてある状態の時には、スタンドとして使用することができ、カメラ不使用時にレンズを覆い隠す機能と同時に、携帯情報機器のスタンドとしての機能を有するものであ。
【産業上の利用可能性】
【００２９】
以上詳細に説明したように、本考案によれば、レンズカバーをスタンドとして使用可能な携帯情報機器用のレンズカバー兼用ケースを提供することができる。
【符号の説明】
【００３０】
１  カメラ内蔵の携帯情報機器
２  カメラのレンズ
３  ケース本体
４  レンズカバー部
５  スタンド部
６  連結部材
【図１】
0003205916.tif 000003
【図２】
0003205916.tif 000004
【図３】
0003205916.tif 000005
【図４】
0003205916.tif 000006
【図５】
0003205916.tif 000007
【図６】
0003205916.tif 000008
【図７】
0003205916.tif 000009
【図８】
0003205916.tif 000010
【図９】
0003205916.tif 000011
【図１０】
0003205916.tif 000012
【図１１】
0003205916.tif 000013